(57)【要約】【課題】押下げ操作により粉末状内容物の吐出を行う粉末用広角噴射ボタンにおいて、噴射口を１個備えた簡単な構成で広角噴射を可能にする。【解決手段】ノズル部としての噴口部材２０が噴射方向に沿った流路２６を備えて、その先端を噴射口２６ａとしている。中心側端部２８ａが噴射口２６ａの円周位置近辺に終端し、かつ噴射方向に沿って突出することにより、噴射口２６ａから拡散噴射された粉末状内容物の拡散噴射角を偏向する偏向板２８が、噴口部材２０のディスク状正面部２１における噴射口周辺領域２１ａに、噴射口２６ａを中心に放射状に複数個突設されている。【選択図】          図１
2004267894.tif 000002
【特許請求の範囲】
【請求項１】
押下げ操作により粉末状内容物の吐出を行う吐出パイプに嵌着されると共に、ボタン表面部の噴射口から広角噴射を行わせるノズル部が設けられた粉末用広角噴射ボタンにおいて、
ノズル部が噴射方向に沿った流路を備えて、その先端を噴射口とし、
中心側端部が前記噴射口の円周位置近辺に終端し、かつ前記噴射方向に沿って突出することにより、前記噴射口から拡散噴射された粉末状内容物の拡散噴射角を偏向する偏向板が、ボタン表面部における前記噴射口周辺領域に、前記噴射口を中心に放射状に複数個突設されていることを特徴とする粉末用広角噴射ボタン。
【請求項２】
ノズル部が、中心部に流路が形成されたディスク状正面部と、その背後に突設されて正面側のボタン表面部の嵌合穴に嵌入される円筒状嵌入部とを備えた噴口部材で構成されると共に、前記ディスク状正面部における噴射口周辺領域に偏向板が突設されていることを特徴とする粉末用広角噴射ボタン。
【請求項３】
偏向板が、平坦状に形成された噴射口周辺領域に方形状に突設されたことを特徴とする請求項１又は請求項２記載の粉末用広角噴射ボタン。
【請求項４】
偏向板が、噴射方向へ向けて徐々に内径を大きくする円錐台状に形成された噴射口周辺領域に直角三角形状に突設されていることを特徴とする請求項１又は請求項２記載の粉末用広角噴射ボタン。
【請求項５】
偏向板の噴射方向に沿った奥行幅が、噴射口の円周の直径と略同程度であることを特徴とする請求項１乃至請求項４のいずれか記載の粉末用広角噴射ボタン。
【発明の詳細な説明】
【０００１】
【発明の属する技術分野】
本発明は、押下げ操作により粉末が懸濁されている粉末状内容物の吐出を行う吐出パイプに嵌着されると共に、広角噴射を行う噴射口を備えたノズル部が設けられた粉末用広角噴射ボタンに関するものである。
【０００２】
【従来の技術】
文献１により、複数個の噴射口を備えた肌に噴射される人体用エアゾール製品が開示されおり、複数個の噴射口から噴射されて噴射パターンが広くなるのに応じて肌の冷感が抑制される。その他、一般的に噴射パターンを広くする噴射ノズルとしては、特許文献２又は３に開示されているように、噴射口或はその流路を複数個設けるのが通常である。
【０００３】
【特許文献１】
特開２００２−２４０８７４号公報
【特許文献２】
特開２０００−３２５８３４号公報
【特許文献３】
特開２００２−３５６５３号公報
【０００４】
【発明が解決しようとする課題】
しかしながら、内容物が、医薬剤、制汗剤、その他の懸濁粉体である場合、広範囲に噴射させるために噴射口或は流路が細かく分散されると、噴射後に粉末により目詰まりを発生する問題がある。このために、噴射口の内側に、各噴射口に共通の膨張空間を設けることも行われているが、いずれにしても細分された個々の噴射口自体での目詰まりの可能性が残される。
【０００５】
本発明は、このような点に鑑みて、噴射口を１個備えた簡単な構成で広角噴射を可能にする粉末用広角噴射ボタンを提供することを目的とする。
【０００６】
【課題を解決するための手段】
本発明は、この目的を達成するために、請求項１により、押下げ操作により粉末状内容物の吐出を行う吐出パイプに嵌着されると共に、ボタン表面部の噴射口から広角噴射を行わせるノズル部が設けられた粉末用広角噴射ボタンにおいて、ノズル部が噴射方向に沿った流路を備えて、その先端を噴射口とし、中心側端部が噴射口の円周位置近辺に終端し、かつ噴射方向に沿って突出することにより、噴射口から拡散噴射された粉末状内容物の拡散噴射角を偏向する偏向板が、ボタン表面部における噴射口周辺領域に、噴射口を中心に放射状に複数個突設されていることを特徴とする。
【０００７】
噴射口から噴射された後に、噴射口を中心とする放射方向に対して横方向へずれつつ周囲へ拡散する粉末状内容物が、偏向板に当たると、その方向に沿うように、即ち放射方向に偏向されて先方へ拡散噴射される。
【０００８】
【発明の実施の形態】
図１乃至図５を基に本発明の実施の形態の一例による粉末用広角噴射ボタンを説明する。この粉末用広角噴射ボタン１０は、図４に示すように、エアゾール容器１の頂部に装着されているマウンティングカップ２から上方付勢状態で突出するバルブステム３に、中心流路１１の基端部で嵌着して装着されると共に、エアゾール容器１には、薬剤粉体が噴射剤等に懸濁された粉末状内容物が充填されている。中心流路１１の先端部には、前方への噴射方向へ前向き流路１２が連続すると共に、その先方の粉末用広角噴射ボタン１０の正面側のボタン表面部には、ノズル部としての噴口部材２０を嵌入させる凹部１４及びその背後の中心流路１１を囲む環状の嵌入溝１３が形成されている。
【０００９】
噴口部材２０は、図１に拡大して示すように、中心部に前向き流路１２の内径から徐々に小さくなる円錐台状の流路２５及びこれに連続する円筒状の流路２６が形成されたディスク状正面部２１と、その背後に突設されて嵌入溝１３に嵌入される円筒状嵌入部２２とを備え合成樹脂で一体成形されている。これにより、ディスク状正面部２１が凹部１４に収納された状態で、嵌入部２２が嵌入溝１３に嵌入されて爪２２ａで係止され、前向き流路１２がシール状態で円錐台状の流路２５に連通する。
【００１０】
噴射方向に沿った円筒状の流路２６の先端は噴射口２６ａを形成し、ディスク状正面部２１の噴射口２６ａの噴射口周辺領域２１ａは、基部２１ｂの内径を僅かに階段状に大きくして、次いで先方へ向けて徐々に内径が大きくなる円錐台状に形成されている。この円錐台状の噴射口周辺領域２１ａには、中心側端部２８ａが噴射口２６ａの円周位置で終端し、かつ噴射口２６ａの円周の直径と略同程度で縦方向へ徐々に狭くなる奥行幅及びこの中心側端部２８ａの奥行幅よりも僅かに長い縦幅を有して先方へ突出する偏向板２８が、噴射口２６ａを中心に放射状に４個９０°間隔に形成されている。したがって、偏向板２８はディスク状正面部２１と同一面状で、直角三角形状になる。また、その傾斜角或は縦幅は、偏向板２８の突出する範囲内に拡散して粉末状内容物を確実に放射方向に沿った先方へ偏向し得るように設定され、意匠上では必要によりさらに長くすることもできる。
【００１１】
このように構成された粉末用広角噴射ボタンの動作は次の通りである。粉末用広角噴射ボタン１０の上面側のボタン表面部が押下げ操作されると、バルブステム３が開放され、粉末状内容物が中心流路１１から前向き流路１２、流路２５及び流路２６を経由して噴射口２６ａから先方へ噴射される。その際、噴射パターンは、図５に示すように、噴射口２６ａから前方への噴射方向に略直進状態で噴射されるパターン部分Ｐ１、噴射口２６ａから周囲へ拡散し、かつ隣合う偏向板２８間をこれらに干渉されずに拡散するパターン部分Ｐ２及び噴射口２６ａを中心とする放射方向に対して偏向板２８に当たる程度に側方へずれつつ周囲に拡散するパターン部分Ｐ３で形成される。このパターン部分Ｐ３の粉末状内容物は、邪魔板となる偏向板２８に当たってこの偏向板に沿った放射方向へ噴射角が広くなるように偏向されつつ先方へ拡散され、したがって強制的に広角噴射が惹起される。
【００１２】
これにより、噴射口２６ａからの自然な拡散に依存することなく、その僅かな先方領域で強制的に拡散角度が部分的に広角に偏向され、噴射パターンが十字状に拡大される。つまり、分岐しない流路２６の先端の１個の噴射口２６ａの至近位置から広い噴射パターンで噴射され、粉状薬剤を噴射させる場合に局部的な噴射が回避されて冷感が抑制される。
【００１３】
図６乃至図８は別の実施の形態による粉末用広角噴射ボタンを示すもので、前述のものと同一もしくは同等部分は同一符号で説明する。噴口部材３０のディスク状正面部３１の噴射口２６ａの噴射口周辺領域３１ａは、円形の平坦状にされると共に、この噴射口周辺領域には、中心側端部３８ａが噴射口２６ａの円周位置で終端し、かつ噴射口２６ａの円周の直径と略同程度の奥行幅及びこの奥行幅よりも充分長い縦幅を有して先方、即ち噴射方向に沿った前方へ突出する長方形状の偏向板３８が、噴射口２６ａを中心に放射状に４個９０°間隔で突設されている。
【００１４】
これにより、粉末用広角噴射ボタン１０が押下げ操作されると、粉末状内容物が噴射口２６ａから前方へ噴射され、その際偏向板３８に当たる程度に放射方向に対して側方へずれて周囲に拡散する粉末状内容物は、偏向板３８にに沿って噴射角が広くなるように偏向されて前方へ拡散され、したがって粉末状内容物の相当部分に対して強制的に広角噴射が惹起される。
【００１５】
尚、前述の実施例では、偏向板はいずれも９０°間隔で形成されているが、場合により１２０°間隔の３個で形成してＹ字状に噴射パターンを拡大したり、或は逆に５個以上にすることも考えられる。また、エアゾール容器のバルブステムに対してでなく、ポンプ吸出しピストン等の吐出パイプに嵌着される粉末用広角噴射ボタンとして実施することもできる。さらに、本発明は、上方へ噴射するように、上面側のボタン表面部にノズル部が設けられている粉末用噴射ボタンにも適用可能である。
【００１６】
【発明の効果】
請求項１の発明によれば、流路及び噴射口を１個にした細分しない簡単な構造で目詰まりを防止し、しかも広角噴射を可能にする粉末用広角噴射ボタンが実現される。請求項２の発明によれば、広角噴射機能を有するノズル部が、別部材としての噴口部材で容易に樹脂成型品として製造可能になる。偏向板は、噴射口の周辺領域の形状に対応して、請求項３又は請求項４の発明により方形状又は直角三角形状に特異な意匠を呈して形成される。請求項５の発明により、偏向板の突出量を抑制して充分な広角拡散が行われる。
【図面の簡単な説明】
【図１】本発明の実施の形態による粉末用広角噴射ボタンの噴口部材の断面図であり、同図Ａは図２のＡ−Ａ線断面図、同図ＢはＢ−Ｂ線断面図である。
【図２】同噴口部材の正面図である。
【図３】同噴口部材の斜視図である。
【図４】同粉末用広角噴射ボタンの断面図である。
【図５】同粉末用広角噴射ボタンの動作を説明する図である。
【図６】別の実施の形態による噴口部材の斜視図である。
【図７】図６による噴口部材の正面図である。
【図８】図６による噴口部材を備えた粉末用広角噴射ボタンの要部断面図である。
【符号の説明】
３  バルブステム
１０  粉末用広角噴射ボタン
２０，３０  噴口部材
２１，３１  ディスク状正面部
２１ａ，３１ａ  噴射口周辺領域
２２  円筒状嵌入部
２６  流路
２６ａ  噴射口
２８，３８  偏向板
【図１】
2004267894.tif 000003
【図２】
2004267894.tif 000004
【図３】
2004267894.tif 000005
【図４】
2004267894.tif 000006
【図５】
2004267894.tif 000007
【図６】
2004267894.tif 000008
【図７】
2004267894.tif 000009
【図８】
2004267894.tif 000010